(57)【特許請求の範囲】
【請求項１】
少なくとも一部が光線透過性の材質で形成された筒状の部材を備えた塗布具であって、
前記筒状の部材の内側面に加飾処理が施され、
前記加飾処理は、粘着面に加飾が施されている粘着シートを前記筒状の部材の内側面に貼付することにより施されていることを特徴とする塗布具。
【請求項２】
少なくとも一部が光線透過性の材質で形成された筒状の部材を備えた塗布具であって、
前記筒状の部材の内側面に加飾処理が施され、
前記加飾処理は、粘着面の反対側の面に加飾が施されている光線透過性の粘着シートを前記筒状の部材の内側面に貼付することにより施されていることを特徴とする塗布具。
【請求項３】
前記加飾処理は、塗装、転写、印刷、メッキ、蒸着、箔押し及び付加物貼付から成る群から選ばれる１の処理又は２以上の処理の組み合わせであることを特徴とする請求項１又は２記載の塗布具。
【請求項４】
前記筒状の部材は、軸筒であることを特徴とする請求項１、２又は３記載の塗布具。
【請求項５】
前記筒状の部材は、キャップであることを特徴とする請求項１、２又は３記載の塗布具。
【発明の詳細な説明】
【技術分野】
【０００１】
本発明は、軸筒やキャップといった筒状の部材を構成要素として備える塗布具に関し、その筒状の部材の加飾処理に関する。
【背景技術】
【０００２】
筆記具は一般的に軸筒やキャップといった筒状の部材を構成要素として備えている。また、筆記具以外でも、修正液の塗布具や、マスカラ、マニキュアといった液状の化粧料や、液状ないしは流動性のある接着剤、薬品等の塗布具にも、筒状の部材を構成として備えているものは多い。以後、筆記具も含め、本件明細書では「塗布具」と称する。
このような塗布具の筒状の部材の表面には何らかの装飾が施されている場合が多い。たとえば、外表面への印刷、塗装、彫刻、線刻、メッキ、ステッカーの貼付などが主な方法として挙げることができる。このような外表面への加飾処理は、加飾した部分が直接外界に曝され、使用時に手指での接触を伴うため、処理方法によっては加飾部分が摩耗、汚損したり剥離したりすることもある。またそれに伴い手指等を汚すこともある。【０００３】
このような外表面への加飾処理を避けるために、下記特許文献１に開示された技術のように、筒状の部材を二重にして、そのうちの内側の筒の外側面に加飾する試みもなされている。
【先行技術文献】
【特許文献】
【０００４】
【特許文献１】特開２００５−３３５３６２号公報
【発明の概要】
【発明が解決しようとする課題】
【０００５】
上記の先行技術では確かに外表面への加飾処理をしなくてもよくなるものの、筒状の部材を二重にする必要があるため、部品点数が多くなってしまう。また、筒状の部材を二重にすることによって、製品の外形が大きくなってしまったり、また、製品の外形に比べ内容量が少なくなってしまったり、という問題点も生ずる。
以上の問題点に鑑み、本発明は、塗布具の部品の点数を特に増やさずに、外表面への加飾をすることなく、所望の加飾処理を可能とすることを課題とする。
【課題を解決するための手段】
【０００６】
上述の課題を解決すべく、本発明は、少なくとも一部が光線透過性の材質で形成された筒状の部材を備えた塗布具であって、前記筒状の部材の内側面に加飾処理が施されていることを特徴とする。
ここで、本発明でいう「塗布具」とは、ボールペン、サインペン、マーカーペン、シャープペンシル、万年筆等の筆記具や、修正液、接着剤、薬品等、あるいはマスカラ、マニキュア等の化粧料の塗布具も含むものである。
そしてその塗布具の「筒状の部材」とは、たとえば筆記具であれば、軸筒やキャップ等の、外形を形成する部材をいう。また、塗布具の場合は、容器やキャップ等の、外形を形成する部材をいう。この筒状の部材は、少なくとも一部が光線透過性の材質で形成されている。ここで、「光線透過性」とは、透明、半透明、着色透明等、その内部が外部から見透すことができることをいう。このような「光線透過性の材質」としては、たとえば、ポリエチレン、ポリプロピレン、ポリカーボネート、ＡＢＳ等の合成樹脂や、ガラス等が挙げられる。そして、この筒状の部材は「少なくとも一部が光線透過性」であるということは、部材の全部又は一部がこのような光線透過性を備えているということを意味する。【０００７】
そして本発明では、この筒状の部材の内側面に加飾処理が施されていることで、外側面には何らの加飾処理を施さなくとも、所望の装飾的意匠を塗布具に付与することが可能となっている。
ここで、この加飾処理としては様々な方法が可能であるが、たとえば、粘着面に加飾が施されている粘着シートを前記筒状の部材の内側面に貼付することにより実施することも可能である。また、粘着面の反対側の面に加飾が施されている光線透過性の粘着シートを前記筒状の部材の内側面に貼付することにより実施することも可能である。この粘着面又はその反対側の面への加飾は、たとえば印刷により行うことができる。そして粘着面に接着剤を塗布してから剥離シートで被覆して、加飾用の粘着シートとすることができる。この加飾用の粘着シートを、加飾を施す筒状の部材の内面に沿って、剥離シートを剥離しながら貼付すれば、粘着面又はその反対側の面に施されている加飾が筒状の部材の内面に付着した状態となる。そして、筒状の部材は光線透過性であるため、外部からその内面に加飾された意匠を視認することが可能となっている。【０００８】
また、この加飾処理として、この筒状の部材の内側面に塗装を施すことにより実施することも可能である。たとえば、透明な筒状の部材の内部に、先端から塗料を噴射可能なノズルを挿入し、該部材又はノズルを軸方向に移動させつつ塗料を噴射すれば、その噴射した塗料が該部材の内側面に付着する。この付着した塗料による色彩又は模様は、透明な該部材の外部から視認可能である。この塗料は、通常の塗料のみならず、これに金属箔などを混入して、該部材の内側面に光輝性を呈する加飾処理とすることもできる。このように、該部材の内側面に加飾処理をすることで、外部からの光が塗膜に反射するのに加え、該部材の表面も反射することで、部材としてより高い光輝性が発揮される。さらに、塗装面は内側面に形成されるので、外側面に塗装する場合に比べ、周囲に拡散して無駄になる塗料が格段に減少することとなり、塗装効率は飛躍的に向上する。さらに、外側面に形成される場合に必要とされるレベリングのような塗装面性能の調整について考慮する必要もなく、これにより塗装工程の簡略化も可能となる。【０００９】
なお、前記加飾処理は、上記の粘着シートの貼付及び塗装の他、転写、印刷、メッキ、蒸着、箔押し及び付加物貼付といったうちから選ばれる任意の方法、あるいはそれらの組み合わせとして実施することも可能である。もちろん、その任意の方法、あるいはそれらの組み合わせを、上述の、加飾用の粘着シートの貼付と組み合わせることも可能である。ここで、「付加物」とは、紙、布、皮革、人工皮革、ＣＦＲＰシート等、貼付される筒状の部材とは異質の物質で、加飾目的で使用されるものをいう。このような付加物を接着剤等で筒状の部材20の内周面に貼付することで、外部から視認可能な装飾を施すことができる。
【発明の効果】
【００１０】
本発明は上記のように構成されているので、塗布具の部品の点数を特に増やさずに、また、外表面への加飾をすることなく、外部から視認可能な筒状の部材への所望の装飾が可能となる。そして、その装飾は外部からの接触がないため、摩耗、汚損、剥離等のおそれがなく、また筆記の際に手指等に接触することがないので筆記の妨げになることもない。
【図面の簡単な説明】
【００１１】
【図１】本発明の実施の形態に係る筆記具を側面断面図で示す。
【図２】図１の筆記具における軸筒を側面断面図で示す。
【図３】図２におけるIII−III断面図を示す。
【図４】軸筒の内側面への加飾処理の例を示す。
【図５】軸筒の内側面への加飾処理の別の例を示す。
【図６】軸筒の内側面への塗装による加飾処理のシステムを模式的に示す。
【図７】軸筒の内側面への塗装による加飾処理の工程について、（Ａ）塗装前、（Ｂ）塗装中、（Ｃ）塗装完了及び（Ｄ）塗装後の状態を模式的に示す。なお、軸筒は断面にて表示している。
【発明を実施するための形態】
【００１２】
以下、本発明の実施の形態を図面を参照しつつ説明する。
図１は、本発明の実施の形態に係る塗布具10としての筆記具10を側面断面図で示すものである。本実施の形態に係る筆記具10は、シャープペンシルである。筆記具10の外形の後半部は、略円筒状の、筒状の部材20としての軸筒20となっている。この軸筒20の後端付近にはクリップ21が一体に形成されている。軸筒20は、透明なポリカーボネートの射出成形により形成される。
一方、筆記具10の外形の前半部は、略円筒状のグリップ部22となっている。グリップ部22は軸筒20と互いに螺合され、筆記具10の外形を形成する。また、グリップ部22の先端には略円錐形状の、ステンレス鋼製の口金30が装着される。
【００１３】
軸筒20及びグリップ部22が形成する内部空間には、シャープペンシルの機構ユニット40が内蔵されている。機構ユニット40の後端には消しゴム41が装着され、それを覆うカバー部材42が、軸筒20の後端から突出している。
軸筒20は、図２に示すように、後端付近にクリップ21を備えた略円筒状の部材である。この内周面には、図３の断面図に示すように、粘着シート50が貼付されている。この粘着シート50は、図４に示すように、ポリプロピレン製で透明シートとして形成された基材51の表面に、装飾用の意匠が印刷により施された印刷層52が設けられ、その上層に接着剤を塗布した粘着層53により形成されている。なお、軸筒20への貼付前はさらにその上層に粘着層53を保護するための紙製の剥離シート54が付着されている。
【００１４】
軸筒20の内周面へ粘着シート50を貼付する際には、図４に示すように、剥離シート54を剥離しながら粘着層53を付着させていけば、図３に示すように内周面の全周の貼付が可能となる。このように粘着シート50を貼付することで、軸筒20の内周面への加飾処理を行うことができ、加飾された意匠は、透明な軸筒20を透して外部から視認可能である。なお、この粘着シート50は、図５に示すように、光線透過性の材質で基材51を形成し、その表面に粘着層53及び裏面に印刷層52が設けられ、さらに粘着層53の上層に剥離シート54が付着されたものとして形成してもよい。
【００１５】
なお、本発明の実施の形態で用いられる軸筒20の内側面は、塗装により加飾処理が行われることとしてもよい。そのような塗装のシステムの例を図６に模式的に示す。
軸筒20は、軸筒保定部74に保定された状態で、エアシリンダ73により軸方向（図中では左右方向）に移動可能とされている。このように保定された軸筒20の内部空間に、塗料を噴射する噴射ノズル70が軸方向に沿って挿入される位置にある。この噴射ノズル70は、図示しないコンプレッサーからエアー電磁弁制御部75を経て流れてくるエアーＡと、塗料タンク71からの塗料とを混合する混合室72に接続され、塗料がエアーと混合されて生ずるエアロゾルをその先端から噴射するものである。エアー電磁弁制御部75は、エアシリンダ73の突出及び没入の制御も兼ねている。
【００１６】
この図６の塗装システムによる軸筒20の塗装工程を、図７に従って説明する。なお、軸筒20は断面にて表示している。
塗装前の状態では、噴射ノズル70の先端が透明な軸筒20の一端付近に位置している（図７（Ａ））。
この図７（Ａ)に示す状態から、エアシリンダ73を突出させて軸筒保定部74が噴射ノズル方向（図中の右方向）へ移動していくと同時に、噴射ノズル70の先端から塗料が噴射される。そして、軸筒20の内部に噴射ノズル70が挿入されていくような状態で、その内側面が塗装され塗装面60となっていく（図７（Ｂ））。
【００１７】
さらにエアシリンダ73の突出による軸筒保定部74の移動は続き、噴射ノズルの先端が軸筒の他端近傍に位置するようになると、軸筒20の内側面の全体が塗装面60となり、塗装は終了する（図７（Ｃ））。
この図７（Ｃ）に示す状態から、エアシリンダ73を没入させることで、軸筒保定部74は逆方向（図中の左方向）へ移動し、軸筒20は噴射ノズル70から引き離される（図７（Ｄ））。そして、内側面が塗装面60とされた軸筒20は次の製造工程へ移動させられる。
なお、このような剥離シート54の塗布又は塗装による加飾処理は、軸筒20の内周面への転写、印刷、メッキ、蒸着、箔押し、並びに紙、布、皮革、人工皮革、ＣＦＲＰシート等の付加物の貼付、又はこれらの任意の組み合わせによっても可能である。もちろん、これらの方法を、上記の粘着シート50の貼付による加飾処理と組み合わせることも可能である。
【００１８】
なお、本実施の形態に係る塗布具10としての筆記具10としては、ボールペン、サインペン、マーカーペン、万年筆等でも同様に、筒状の部材20への加飾処理は可能である。また、化粧料、接着剤、薬品、修正液等の塗布物を内蔵する塗布具10において、これらの塗布物を収納する筒状の容器でも上記と同様の加飾処理は適用可能である。
さらに、本実施の形態のような加飾処理は、軸筒20に限らず、キャップ等、筒状の部材20であれば適用可能である。
【産業上の利用可能性】
【００１９】
本発明は、ボールペン、シャープペンシル、サインペン、マーカーペン、万年筆等の軸筒又はキャップ等の装飾に利用可能である。また、化粧料、接着剤、薬品、修正液等の塗布物を内蔵する塗布具においても、軸筒又はキャップ等の装飾に利用可能である。
【図１】
0006038028.tif 000002
【図２】
0006038028.tif 000003
【図３】
0006038028.tif 000004
【図４】
0006038028.tif 000005
【図５】
0006038028.tif 000006
【図６】
0006038028.tif 000007
【図７】
0006038028.tif 000008